(57)【要約】【課題】  表示装置の形態を変えるときに利用者以外の者にＬＣＤ表示装置に表示された重要な情報が読取られるのを防止することが可能な表示装置を提供すること。【解決手段】  表示部１３は、操作部１４に対して開閉または回転が可能となるように取り付けられる。操作部１４に対する表示部１３の開閉状態または回転状態を検出し、その検出結果に応じて表示部１３にセキュリティに支障のない情報を表示する。したがって、表示装置の形態が変わるときに、表示部１３に表示される内容を利用者以外の者に見えなくすることが可能となる。【選択図】        図２
2006287481.tif 000002
【特許請求の範囲】
【請求項１】
操作部に対して、表示部の開閉または回転が可能な表示装置であって、
前記操作部に対する前記表示部の開閉状態または回転状態を検出するための検出手段と、
前記検出手段による検出結果に応じて、前記表示部に表示する内容を制御するための制御手段とを含む、表示装置。
【請求項２】
前記表示装置はさらに、前記表示部に表示される内容がセキュリティ保護の必要があるか否かを判定するための判定手段を含み、
前記判定手段によってセキュリティ保護の必要があると判定された場合に、前記制御手段は前記検出手段による検出結果に応じて前記表示部に表示する内容を制御する、請求項１記載の表示装置。
【請求項３】
（表示条件は、発明の実施の形態で定義します。）
前記表示装置はさらに、前記表示手段に表示される内容がセキュリティ保護の必要がある場合に、前記表示部の表示条件を制限するための制限手段を含み、
前記制限手段によって表示条件が制限されている場合に、前記制御手段は前記検出手段による検出結果に応じて前記表示部に表示する内容を制御する、請求項１または２記載の表示装置。
【請求項４】
前記検出手段による検出結果が時間的に変化しているときに、前記制御手段は前記表示部に表示する内容を制御する、請求項１〜３のいずれかに記載の表示装置。
【請求項５】
前記検出手段による検出結果が時間的に変化した後、検出結果の変化が所定時間ない場合に、前記制御手段は前記表示部に表示する内容の制御を解除する、請求項４記載の表示装置。
【請求項６】
操作部に対して、表示部の開閉または回転が可能な表示装置であって、
前記操作部に対する前記表示部の開閉状態または回転状態を検出するための検出手段と、
前記表示部に表示される内容がセキュリティ保護の必要があるか否かを判定するための判定手段と、
前記判定手段によってセキュリティ保護の必要があると判定された場合に、前記検出手段による検出結果に応じて、前記表示部の開閉または回転を抑止するための抑止手段とを含む、表示装置。
【請求項７】
前記抑止手段は、前記表示部または前記操作部に設けられた、前記表示部の開閉を抑止するツメを含む、請求項６記載の表示装置。
【請求項８】
前記抑止手段は、前記表示部の開閉または回転機構を押圧することにより開閉または回転を抑止する機構を含む、請求項６記載の表示装置。
【請求項９】
前記抑止手段は、前記表示部および前記操作部のいずれかに設けられた穴に嵌合するクサビを含む、請求項６記載の表示装置。
【請求項１０】
前記検出手段は、前記表示部および前記操作部の一方に設けられた磁石と、
前記表示部および前記操作部の他方に設けられたホールセンサとを含む、請求項１〜９のいずれかに記載の表示装置。
【請求項１１】
前記検出手段は、前記表示部と前記操作部との接合部に設けられた角度センサを含む、請求項１〜９のいずれかに記載の表示装置。
【請求項１２】
前記検出手段は、前記表示部に設けられた加速度センサを含む、請求項１〜９のいずれかに記載の表示装置。
【発明の詳細な説明】
【技術分野】
【０００１】
本発明は、携帯電話、パーソナルコンピュータ、ＰＤＡ（Personal Digital Assistants）などの表示装置に関し、特に、セキュリティ情報などの重要な情報が表示される表示装置に関する。
【背景技術】
【０００２】
近年、携帯電話などの表示装置の多機能化が進んでおり、たとえば、携帯電話の利用者が外出先で電子マネーの機能を用いて電子決済を行なうことも可能となっている。このような表示装置に用いられる液晶ディスプレイ装置（以下、ＬＣＤ（Liquid Crystal Device）表示装置と呼ぶ。）などは、装置の利用者に正対した状態で使用されることが多い。
【０００３】
一般に、ＬＣＤ表示装置は、利用者が正対した位置で見るのが最も鮮明に表示情報を得ることが可能である。その固有の特性にもよるが、正対した位置から上下方向または左右方向にずれるにつれて、その鮮明さが失われてゆく。この左右方向の特性を「左右視野角特性」と呼び、上下方向の特性を「上下視野角特性」と呼ぶ。
【０００４】
また、携帯電話などの表示装置を電子決済に利用する場合、クレジットカード番号、暗証番号などの個人情報の入力が必要であり、その表示内容を他人に盗み見られないようにしなければならない。しかしながら、従来の携帯電話などの表示装置は、多彩なアプリケーションに対応して、回転ヒンジなどを用いた多軸可変機構を備えているため、様々な形態をとることが可能である。これに関連する技術として、特開２００５−１２２９７号公報、特開２００４−６２０９４号公報および特開２００４−２３３５２７号公報に開示された発明がある。
【０００５】
特開２００５−１２２９７号公報に開示された視野角変化装置は、携帯端末の状況を物理量として検出する少なくとも１つの状況検出手段と、状況検出手段の状況検出に応じて表示手段の視野角を変更する視野角変更手段、表示手段の光量を制御する表示制御手段、呼出音などを発する少なくとも１つの音出力手段、表示手段の文字フォントを変更する表示フォント変更手段、または利用者に情報を知らせるために装置を振動させる振動手段とを有する。
【０００６】
また、特開２００４−６２０９４号公報に開示された視野角可変表示装置は、情報を表示する情報表示手段と、情報表示手段の表示面に配設された視野角変更手段と、視野角変更手段の視野角を変更することにより当該視野角変更手段を透過して視認される情報表示手段の視野角を変更する視野角制御手段とを携帯端末装置に設け、所定の操作手段を介して入力された入力操作に応じて、または携帯端末装置が実行中のアプリケーションの種類に応じて視野角変更手段の視野角を制御する。
【０００７】
また、特開２００４−２３３５２７号公報に開示された携帯端末は、視野角を複数のパターンに切り替え可能な表示手段と、表示手段の視野角を設定する視野角設定手段と、画像または映像を撮影する撮影手段とを備え、表示手段が撮影手段によって撮影された画像または映像を表示するモードのとき、視野角設定手段は、そのモード以外のモード時に設定されている視野角よりも広い視野角に表示手段を設定する。
【特許文献１】特開２００５−１２２９７号公報
【特許文献２】特開２００４−６２０９４号公報
【特許文献３】特開２００４−２３３５２７号公報
【発明の開示】
【発明が解決しようとする課題】
【０００８】
電子決済を行なう等の場合にセキュリティを高める必要があるが、表示装置の形態を変えるときに周囲にいる他人にＬＣＤ表示装置が一瞬でも正対してしまい、その他人に重要な情報が読取られてしまうといった問題点があった。
【０００９】
このような問題は、上述した特開２００５−１２２９７号公報、特開２００４−６２０９４号公報または特開２００４−２３３５２７号公報に開示された発明を用いたとしても、解決することができない。
【００１０】
本発明は、上記問題点を解決するためになされたものであり、その目的は、表示装置の形態を変えるときに利用者以外の者にＬＣＤ表示装置に表示された重要な情報が読取られるのを防止することが可能な表示装置を提供することである。
【課題を解決するための手段】
【００１１】
本発明のある局面に従えば、操作部に対して、表示部の開閉または回転が可能な表示装置であって、操作部に対する表示部の開閉状態または回転状態を検出するための検出手段と、検出手段による検出結果に応じて、表示部に表示する内容を制御するための制御手段とを含む。
【００１２】
好ましくは、表示装置はさらに、表示部に表示される内容がセキュリティ保護の必要があるか否かを判定するための判定手段を含み、判定手段によってセキュリティ保護の必要があると判定された場合に、制御手段は検出手段による検出結果に応じて表示部に表示する内容を制御する。
【００１３】
好ましくは、表示装置はさらに、表示手段に表示される内容がセキュリティ保護の必要がある場合に、表示部の表示条件を制限するための制限手段を含み、制限手段によって表示条件が制限されている場合に、制御手段は検出手段による検出結果に応じて表示部に表示する内容を制御する。
【００１４】
好ましくは、検出手段による検出結果が時間的に変化しているときに、制御手段は表示部に表示する内容を制御する。
【００１５】
さらに好ましくは、検出手段による検出結果が時間的に変化した後、検出結果の変化が所定時間ない場合に、制御手段は表示部に表示する内容の制御を解除する。
【００１６】
本発明の別の局面に従えば、操作部に対して、表示部の開閉または回転が可能な表示装置であって、操作部に対する表示部の開閉状態または回転状態を検出するための検出手段と、表示部に表示される内容がセキュリティ保護の必要があるか否かを判定するための判定手段と、判定手段によってセキュリティ保護の必要があると判定された場合に、検出手段による検出結果に応じて、表示部の開閉または回転を抑止するための抑止手段とを含む。
【００１７】
好ましくは、抑止手段は、表示部または操作部に設けられた、表示部の開閉を抑止するツメを含む。
【００１８】
好ましくは、抑止手段は、表示部の開閉または回転機構を押圧することにより開閉または回転を抑止する機構を含む。
【００１９】
好ましくは、抑止手段は、表示部および操作部のいずれかに設けられた穴に嵌合するクサビを含む。
【００２０】
好ましくは、検出手段は、表示部および操作部の一方に設けられた磁石と、表示部および操作部の他方に設けられたホールセンサとを含む。
【００２１】
好ましくは、検出手段は、表示部と操作部との接合部に設けられた角度センサを含む。
【００２２】
好ましくは、検出手段は、表示部に設けられた加速度センサを含む。
【発明の効果】
【００２３】
本発明のある局面によれば、検出手段によって検出された、操作部に対する表示部の開閉状態または回転状態に応じて、制御手段が表示部に表示する内容を制御するので、表示装置の形態が変わるときに、表示部に表示される内容を利用者以外の者に見えなくすることが可能となる。
【００２４】
また、判定手段によってセキュリティ保護の必要があると判定された場合に、制御手段が検出手段による検出結果に応じて表示部に表示する内容を制御するので、セキュリティ保護の必要がある場合にのみ、表示部に表示される内容を利用者以外の者に見えなくすることが可能となる。
【００２５】
また、制限手段によって表示条件が制限されている場合に、制御手段が検出手段による検出結果に応じて表示部に表示する内容を制御するので、利用者が意図的に他人に表示内容が見られないようにしてる場合にのみ、表示部に表示される内容を利用者以外の者に見えなくすることが可能となる。
【００２６】
また、検出手段による検出結果が時間的に変化しているときに、制御手段が表示部に表示する内容を制御するので、表示装置の形態が変化してる最中にのみ、表示部に表示される内容を利用者以外の者に見えなくすることが可能となる。
【００２７】
また、検出手段による検出結果が時間的に変化した後、検出結果の変化が所定時間ない場合に、制御手段が表示部に表示する内容の制御を解除するので、セキュリティの保護の必要がなくなったことを容易に検出でき、表示内容を元に戻すことが可能となる。
【００２８】
本発明の別の局面によれば、判定手段によってセキュリティ保護の必要があると判定された場合に、検出手段による検出結果に応じて、抑止手段が表示部の開閉または回転を抑止するので、表示装置が利用者以外の者に表示内容が見られるような形態になることを防止することが可能となる。
【００２９】
また、抑止手段が表示部または操作部に設けられた、表示部の開閉を抑止するツメを含むので、表示部の開閉または回転を確実に抑止することが可能となる。
【００３０】
また、抑止手段が表示部の開閉または回転機構を押圧することにより開閉または回転を抑止する機構を含むので、表示部の開閉または回転を確実に抑止することが可能となる。
【００３１】
また、抑止手段が表示部および操作部のいずれかに設けられた穴に嵌合するクサビを含むので、表示部の開閉または回転を確実に抑止することが可能となる。
【００３２】
また、検出手段が表示部および操作部の一方に設けられた磁石と、表示部および操作部の他方に設けられたホールセンサとを含むので、表示部の向きや角度を確実に検出することが可能となる。
【００３３】
また、検出手段が表示部と操作部との接合部に設けられた角度センサを含むので、表示部の向きや角度を確実に検出することが可能となる。
【００３４】
また、検出手段が表示部に設けられた加速度センサを含むので、表示部の向きや角度を確実に検出することが可能となる。
【発明を実施するための最良の形態】
【００３５】
（第１の実施の形態）
図１は、本発明の第１の実施の形態における表示装置の一例である携帯電話の外観例を示す図である。図１（ａ）は、携帯電話の筐体１１と筐体１２とが閉じられた状態（フリップ閉状態）を示しており、表示部１３が内側に折りたたまれている。筐体１１は、Ｚ軸を中心に回転可能に筐体１２に取り付けられている。
【００３６】
図１（ｂ）は、携帯電話の筐体１１を開いた状態（フリップ開放状態）を示している。筐体１１には表示部１３が設けられ、筐体１２には操作部１４が設けられている。筐体１１は、Ｙ軸を中心に回転可能に筐体１２に取り付けられており、いわゆるスイーベル機能を実現できるようになっている。視線Ａの人（利用者）は表示部１３の表示内容を見ることができるが、視線Ｂの人（利用者以外の者）は表示部１３の視野角特性のために表示部１３の表示内容を見ることができない。なお、筐体１１には多軸加速度センサ５１が設けられており、筐体１１の開閉や回転を検出することができる。
【００３７】
図２は、表示装置の筐体１１の開閉角度および回転角度の検出を説明するための図である。図２（ａ）に示すように、本実施の形態における表示装置は、筐体１１の表示部１３側に設けられた開閉マグネット１６と、開閉マグネット１６と対になる開閉センサ１５と、回転センサ１７−１および１７−２と、回転マグネット１８−１および１８−２と、Ｙ軸回転センサ２０と、Ｚ軸回転センサ１９とを含む。
【００３８】
図１（ａ）に示すように、表示部１３を内側にして筐体１１が閉じられている場合には、開閉センサ１５が開閉マグネット１６の磁力を検知することによって、筐体１１の開閉（フリップ開放）を検知する。
【００３９】
また、回転マグネット１８−１および１８−２は、それぞれＮ極およびＳ極の相対する磁極を有しており、ホール素子である回転センサ１７−１および１７−２のそれぞれが、いずれの磁極を検知したかによって筐体１１がどちら側を向いているか、すなわち表示部１３が表になったいるのか、裏になっているのかを判定することができる。
【００４０】
Ｙ軸回転センサ２０は、Ｙ軸を中心とする筐体１１の回転角度を検知することが可能である。また、Ｚ軸回転センサ１９は、Ｚ軸を中心とする筐体１１の開閉角度を検知することが可能である。なお、Ｙ軸回転センサ２０およびＺ軸回転センサ１９を設ける場合には、開閉マグネット１６と、開閉センサ１５と、回転センサ１７−１および１７−２と、回転マグネット１８−１および１８−２とは不要である。また、図１に示すように多軸加速度センサ５１を設ける場合には、これらのセンサは不要となる。
【００４１】
図２（ａ）に示すように、筐体１１の回転によって視線Ａの人は表示部１３の表示内容を見ることができなくなるが、視線Ｂの人は表示部１３の表示内容を見ることができるようになる。すなわち、筐体１１の回転によって利用者以外の者が表示部１３の表示内容を見れるようになり、セキュリティ保護ができなくなる。
【００４２】
図３は、表示部１３が外側の状態で表示装置が折りたたまれたところを示す図である。図３（ａ）は、表示部１３が設けられた筐体１１をＹ軸を中心に１８０°回転させた後（図２（ｂ）に示す状態）、Ｚ軸を中心に回転させて表示装置を折りたたんだところを示しており、操作部１４が内側になった状態で折りたたまれている。
【００４３】
図３（ｂ）は、表示部１３が設けられた筐体１１をＹ軸を中心に回転させず（図１（ｂ）に示す状態）、そのままＺ軸を中心に回転させて表示装置を折りたたんだところを示しており、操作部１４が外側になった状態で折りたたまれている。
【００４４】
図４は、筐体１１および筐体１２のＺ軸における接合部の拡大図である。Ｚ軸回転センサ１９は、筐体１１および筐体１２の接合部に設けられ、回転機構の回転角度θに比例した信号を出力する。後述する検出部２４がＺ軸回転センサ１９からの信号を入力することにより、筐体１２に対する筐体１１の開閉角度を検出する。Ｚ軸回転センサ１９は、角度センサなどによって構成され、ポテンショメータ、光学的検出器、磁力検出器などによって実現可能である。
【００４５】
図５は、筐体１１および筐体１２のＹ軸における接合部の拡大図である。Ｙ軸回転センサ２０は、筐体１１および筐体１２の接合部に設けられ、回転機構の回転角度θに比例した信号を出力する。後述する検出部２４がＹ軸回転センサ２０からの信号を入力することにより、筐体１２に対する筐体１１の回転角度を検出する。Ｙ軸回転センサ２０は、角度センサなどによって構成され、ポテンショメータ、光学的検出器、磁力検出器などによって実現可能である。
【００４６】
図６は、本発明の第１の実施の形態における表示装置の一例である携帯電話のハードウェア構成を示すブロック図である。携帯電話は、表示部１３と、操作部１４と、アンテナ２１と、ＲＦ（Radio Frequency）部２２と、ＲＦ部２２による通信の制御を行なう通信制御部２３と、開閉センサ１５、回転角センサ１７，１９および２０からの信号を受け、開閉角度および回転角度を検出する検出部２４と、表示部１３を制御して表示画面にデータを表示させる表示データ処理部２５と、検出部２４によって検出された開閉角度、回転角度、ＲＦ部２２によって受信された情報などを一時的に記憶するＲＡＭ（Random Access Memory）２６と、プログラムなどが格納される不揮発性メモリ２７と、マイク２８と、レシーバ２９と、タイマ３０と、スピーカ３１と、表示部１３の表示条件を制限する表示制限部３２と、表示部１３が設けられる筐体１１の回転制御機構３３と、回転制御機構３３の回転を制御する回転制御部３４と、携帯電話の全体的な制御を行なうアプリケーション制御部３５とを含む。
【００４７】
ＲＦ部２２は、アンテナ２１を介して電波を受信し、テレビ画像、音声、データなどを復調して通信制御部２３に出力する。また、ＲＦ部２２は、通信制御部２３から受けた音声やデータなどを変調し、電波としてアンテナ２１を介して出力する。
【００４８】
表示制限部３２は、表示部１３の表示条件を制限する。表示条件とは、上下視野角（狭／広）、輝度、コントラスト、バックライト・オフなどを指し、この表示条件を制限することによって利用者以外の者に表示を見えにくくすることができる。セキュリティ保護が必要な場合に、利用者はこの表示条件を意図的に制限することができる。
【００４９】
アプリケーション制御部３５はＣＰＵ（Central Processing Unit）などによって構成され、不揮発性メモリ２７などに格納されたプログラムを実行することによって、表示装置の全体的な制御を行なう。アプリーション制御部３５は、検出部２４から開閉角度、回転角度に関する情報を受けると、表示データ処理部２５を制御して表示部１３の表示内容を変更したり、回転制御部３４を制御して回転制御機構３３をロックしたりする。
【００５０】
図７は、表示部１３の視野角特性を説明するための図である。表示装置１３を広視野角特性とすることによって、表示面に対する視野角θＬおよびθＲが広くなり、表示内容を見ることができる範囲が広くなる。
【００５１】
一方、表示部１３を狭視野角特性とすることによって、表示面に対する視野角θＬおよびθＲが狭くなり、コントラスト比が高くなる。これによって、利用者はより鮮明な画像が見れるようになる。表示部１３を狭視野角特性とすることによって、他人が表示内容を覗き見ることができなくなる。しかしながら、表示部１３を回転させるときに表示部１３が他人に正対してしまうと、画面のコントラスト比が高いため他人に表示内容を見られてしまう恐れがある。
【００５２】
図８は、本発明の第１の実施の形態における表示装置の処理手順を説明するためのフローチャートである。まず、筐体１１が非回転状態、すなわち初期化状態のときに（Ｓ１１）、アプリケーション制御部３５は、検出部２４によってＺ軸開閉が検出されたか否かを判定する（Ｓ１２）。ここで、筐体１１が非回転状態とは、筐体１１がＹ軸中心およびＺ軸中心のいずれにも回転していない状態を指し、アプリケーション制御部３５が検出部２４による検出結果に応じて判断する。なお、この状態では、表示部１３が内側の状態で筐体１１が閉じられており、Ｚ軸回転センサ１９によって回転角θ＝０が検出され、Ｙ軸回転センサ２０によって回転角θ＝０が検出される。
【００５３】
アプリケーション制御部３５は、筐体１１のＺ軸開閉を検出しなければ（Ｓ１２，Ｎｏ）、ステップＳ１１に戻って以降の処理を繰返す。また、筐体１１のＺ軸開閉を検出すると（Ｓ１２，Ｙｅｓ）、フリップ開状態となる（Ｓ１３）。そして、アプリケーション制御部３５は、表示データ処理部２５を制御して表示部１３の表示を開始する（Ｓ１４）。この状態では、Ｚ軸回転センサ１９によってθ＞０が検出され、Ｙ軸回転センサ２０によってθ＝０が検出される。表示部１３が利用者に正対しているため、セキュリティ保護は行なわれない。なお、この状態では、利用者がアプリケーションを起動して、表示装置を通常の状態で利用している。
【００５４】
次に、検出部２４によって筐体１１の開閉または回転が検出されたか否かが判定される（Ｓ１５）。筐体１１の開閉および回転のいずれも検出されていなければ（Ｓ１５，Ｎｏ）、ステップＳ１５の処理を繰返す。また、筐体１１の開閉または回転が検出されれば（Ｓ１５，Ｙｅｓ）、Ｚ軸回転センサ１９およびＹ軸回転センサ２０のいずれによって開閉または回転が検出されたかを判定する（Ｓ１６）。
【００５５】
Ｙ軸を中心とした回転であれば（Ｓ１６，Ｙ軸）、図９に示すＹ軸制御に処理が進む。また、Ｚ軸を中心とした回転であれば（Ｓ１６，Ｚ軸）、図１０に示すＺ軸制御に処理が進む。
【００５６】
図９は、本発明の第１の実施の形態における表示装置のＹ軸制御の処理手順を説明するためのフローチャートである。まず、表示データ処理部２５は、表示部１３にセキュリティに支障のない情報を表示する表示制限処理を行なう（Ｓ２１）。セキュリティに支障のない情報として、たとえば単なる壁紙、静止画、動画、アニメーション、回転の方向を促す矢印などを表示したり、画面全体を黒くしたりする。また、表示部１３にバックライト・オフの機能があれば、バックライトを消すようにしてもよい。これによって、重要な情報が利用者以外の者に見られないようにすることができる。
【００５７】
また、アプリケーション毎にセキュリティ保護が必要であるか否かに関する情報を、予め不揮発性メモリ２７に格納しておき、筐体１１が回転中は、アプリケーション制御部３５がその情報を読出すことによって、現在実行中のアプリケーションがセキュリティの保護が必要であるか否かを判定する。そして、セキュリティ保護が必要なアプリケーションを実行している場合にのみ、上述したセキュリティに支障のない情報を表示部１３に表示するようにしてもよい。
【００５８】
また、表示制限部３２によって表示部１３の表示条件が制限されている場合にのみ、上述したセキュリティに支障のない情報を表示部１３に表示するようにしてもよい。
【００５９】
次に、アプリケーション制御部３５は、検出部２４によってＹ軸回転が連続して検出されたか否かを判定する（Ｓ２２）。アプリケーション制御部３５は、Ｙ軸回転を連続して検出すれば（Ｓ２２，Ｙｅｓ）、Ｙ軸回転の検出量が限界値となっているか否かを判定する（Ｓ２３）。ここで、Ｙ軸回転の検出量が限界値となっている場合とは、Ｙ軸回転センサ２０が１８０°を検出している場合である。
【００６０】
検出量が限界値になっていなければ（Ｓ２３，Ｎｏ）、ステップＳ２２に戻って以降の処理を繰返す。また、検出量が限界値になっていれば（Ｓ２３，Ｙｅｓ）、図２（ｂ）または図３（ａ）に示す状態になっていると判断して（Ｓ２４）、ステップＳ２５に処理が進む。
【００６１】
検出量が連続して変化していない場合（Ｓ２２，Ｎｏ）またはＹ軸回転の検出量が限界値となっている場合（Ｓ２４）、アプリケーション制御部３５はタイマ３０を初期化した後（Ｓ２５）、タイマ３０の値をインクリメントし（Ｓ２６）、タイマ３０の値が規定値になっているか否かを判定する（Ｓ２７）。タイマ３０の値が規定値になっていなければ（Ｓ２７，Ｎｏ）、ステップＳ２６に戻って以降の処理を繰返す。また、タイマ３０の値が規定値になっていれば（Ｓ２７，Ｙｅｓ）、表示部１３の表示を元に戻す表示制限解除処理を行ない（Ｓ２８）、図８のステップＳ１５に戻って以降の処理を繰返す。
【００６２】
図１０は、本発明の第１の実施の形態における表示装置のＺ軸制御の処理手順を説明するためのフローチャートである。まず、表示データ処理部２５は、表示部１３にセキュリティに支障のない情報を表示する表示制限処理を行なう（Ｓ３１）。
【００６３】
次に、アプリケーション制御部３５は、検出部２４によってＺ軸開閉が連続して検出されたか否かを判定する（Ｓ３２）。アプリケーション制御部３５は、Ｚ軸開閉を連続して検出すれば（Ｓ３２，Ｙｅｓ）、Ｚ軸開閉の検出量が限界値となっているか否かを判定する（Ｓ３３）。ここで、Ｚ軸開閉の検出量が限界値となっている場合とは、Ｚ軸回転センサ１９が３６０°を検出している場合である。
【００６４】
検出量が限界値になっていなければ（Ｓ３３，Ｎｏ）、ステップＳ３２に戻って以降の処理を繰返す。また、検出量が限界値になっていれば（Ｓ３３，Ｙｅｓ）、図１（ｂ）、図３（ａ）または図３（ｂ）に示す状態になっていると判断して（Ｓ３４）、ステップＳ３５に処理が進む。
【００６５】
検出量が連続して変化していない場合（Ｓ３２，Ｎｏ）またはＺ軸開閉の検出量が限界値となっている場合（Ｓ３４）、アプリケーション制御部３５はタイマ３０を初期化した後（Ｓ３５）、タイマ３０の値をインクリメントし（Ｓ３６）、タイマ３０の値が規定値になっているか否かを判定する（Ｓ３７）。タイマ３０の値が規定値になっていなければ（Ｓ３７，Ｎｏ）、ステップＳ３６に戻って以降の処理を繰返す。また、タイマ３０の値が規定値になっていれば（Ｓ３７，Ｙｅｓ）、表示部１３の表示を元に戻す表示制限解除処理を行ない（Ｓ３８）、図８のステップＳ１５に戻って以降の処理を繰返す。
【００６６】
図１１は、本発明の第１の実施の形態における表示装置の形態の一例を示す図である。表示部１３を回転させてテレビ画面を視聴するときなど、図１１に示すように表示装置を固定ビュースタイルとする場合がある。筐体１１のＺ軸開閉が所定時間検出されなかったときに表示部１３の表示を元に戻すことにより、固定ビュースタイルによるテレビ画面の表示などが行なえるようになる。
【００６７】
以上説明したように、本実施の形態における表示装置によれば、フリップ開状態のときに、表示部１３がＹ軸を中心にして回転またはＺ軸を中心にして開閉すると、表示部１３にセキュリティに支障のない情報を表示するようにしたので、利用者以外の者に表示部１３が正対した場合でも重要な情報を見られることを防止することが可能となった。
【００６８】
また、セキュリティ保護が必要なアプリケーションを実行している場合にのみ、セキュリティに支障のない情報を表示部１３に表示するようにしたので、重要な情報のみを見られなくすることが可能となった。
【００６９】
また、表示制限部３２によって表示部１３の表示条件が制限されている場合にのみ、セキュリティに支障のない情報を表示部１３に表示するようにしたので、利用者が意図的に他人に表示内容を見られないようにしている場合にのみ、利用者以外の者に表示内容を見られなくすることが可能となった。
【００７０】
また、Ｙ軸回転またはＺ軸開閉が所定時間検出されなかったときに表示部１３の表示を元に戻すようにしたので、セキュリティ保護の必要がなくなったことを容易に検出することができ、利用者の操作性を向上させることが可能となった。
【００７１】
（第２の実施の形態）
本発明の第２の実施の形態における表示装置は、第１の実施の形態において説明した表示装置と比較して、筐体１１または１２にロック用のツメが追加されている点のみが異なる。したがって、重複する構成および機能の詳細な説明は繰返さない。
【００７２】
図１２は、本発明の第２の実施の形態における表示装置の外観例を示す図である。筐体１１または１２にツメ４１が設けられており、検出部２４によって表示部１３が裏で筐体１１が閉じられた状態（図３（ａ）に示す状態）であることが検出された場合に、ツメ４１によって筐体をロックする。なお、ツメ４１によるロックを解除する機構が別途設けられている。
【００７３】
以上説明したように、表示部１３が裏で筐体１１が閉じられた状態であることが検出された場合に、ツメ４１によって筐体をロックするようにしたので、Ｚ軸を中心とした筐体１１の開閉ができなくなり、表示部１３が利用者以外の者に正対することがなくなり、利用者以外の者に重要な情報を見られることを防止することが可能となった。
【００７４】
（第３の実施の形態）
本発明の第３の実施の形態における表示装置は、第１の実施の形態において説明した表示装置と比較して、筐体１１の開閉または回転を抑止するための機構が追加されている点のみが異なる。したがって、重複する構成および機能の詳細な説明は繰返さない。
【００７５】
図１３は、筐体１１の開閉を抑止するための機構の一例を示す図である。図１３（ａ）に示すように、筐体１１または１２に電磁ブレーキ、ディスクブレーキなどの抑止機構４２が設けられる。図１３（ｂ）に示すように、抑止機構４２が右または左に移動することによって筐体１１または１２を押圧し、筐体１１をロックする。これによって、Ｚ軸を中心とした筐体１１の開閉を抑止する。
【００７６】
図１４は、筐体１１の回転を抑止するための機構の一例を示す図である。図１４（ａ）に示すように、筐体１１または１２に電磁ブレーキ、ディスクブレーキなどの抑止機構４２が設けられる。図１４（ｂ）に示すように、抑止機構４２が上または下に移動することによって筐体１１または１２を押圧し、筐体１１をロックする。これによって、Ｙ軸を中心とした筐体１１の回転を抑止する。
【００７７】
図１５は、筐体１１の開閉を抑止するための機構の他の一例を示す図である。図１５（ａ）に示すように、筐体１２に穴が設けられ、筐体１１に穴に嵌合するクサビ４３が設けられる。筐体１１には、クサビ４３を筐体１２側に移動させる抑止機構が設けられる。図１５（ｂ）に示すように、抑止機構がクサビ４３を移動させることによって筐体１１の開閉をロックする。
【００７８】
図１６は、筐体１１の回転を抑止するための機構の他の一例を示す図である。図１６（ａ）に示すように、筐体１２に穴が設けられ、筐体１１に穴に嵌合するクサビ４３が設けられる。筐体１１には、クサビ４３を筐体１２側に移動させる抑止機構が設けられる。図１６（ｂ）に示すように、抑止機構がクサビ４３を移動させることによって筐体１１の回転をロックする。
【００７９】
検出部２４によってＹ軸を中心とした筐体１１の回転またはＺ軸を中心とした筐体１１の開閉が検出されたときに、アプリケーション制御部３５が回転制御部３４を制御して、抑止機構４２または４３を作動させて筐体１１をロックする。
【００８０】
以上説明したように、Ｙ軸を中心とした筐体１１の回転またはＺ軸を中心とした筐体１１の開閉が検出されたときに、抑止機構４２または４３を作動させて筐体１１をロックするようにしたので、Ｙ軸を中心とした筐体１１の回転またはＺ軸を中心とした筐体１１の開閉ができなくなり、表示部１３が利用者以外の者に正対することがなくなり、利用者以外の者に重要な情報を見られることを防止することが可能となった。
【００８１】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本発明の第１の実施の形態における表示装置の一例である携帯電話の外観例を示す図である。
【図２】表示装置の筐体１１の開閉角度および回転角度の検出を説明するための図である。
【図３】表示部１３が外側の状態で表示装置が折りたたまれたところを示す図である。
【図４】筐体１１および筐体１２のＺ軸における接合部の拡大図である。
【図５】筐体１１および筐体１２のＹ軸における接合部の拡大図である。
【図６】本発明の第１の実施の形態における表示装置の一例である携帯電話のハードウェア構成を示すブロック図である。
【図７】表示部１３の視野角特性を説明するための図である。
【図８】本発明の第１の実施の形態における表示装置の処理手順を説明するためのフローチャートである。
【図９】本発明の第１の実施の形態における表示装置のＹ軸制御の処理手順を説明するためのフローチャートである。
【図１０】本発明の第１の実施の形態における表示装置のＺ軸制御の処理手順を説明するためのフローチャートである。
【図１１】本発明の第１の実施の形態における表示装置の形態の一例を示す図である。
【図１２】本発明の第２の実施の形態における表示装置の外観例を示す図である。
【図１３】筐体１１の開閉を抑止するための機構の一例を示す図である。
【図１４】筐体１１の回転を抑止するための機構の一例を示す図である。
【図１５】筐体１１の開閉を抑止するための機構の他の一例を示す図である。
【図１６】筐体１１の回転を抑止するための機構の他の一例を示す図である。
【符号の説明】
【００８３】
１１，１２  筐体、１３  表示部、１４  操作部、１５  開閉センサ、１６  開閉マグネット、１７−１，１７−２  回転センサ、１８−１，１８−２  回転マグネット、１９  Ｚ軸回転センサ、２０  Ｙ軸回転センサ、２１  アンテナ、２２  ＲＦ部、２３  通信制御部、２４  検出部、２５  表示データ処理部、２６  ＲＡＭ、２７  不揮発性メモリ、２８  マイク、２９  レシーバ、３０  タイマ、３１  スピーカ、３２  表示制限部、３３  回転制御機構、３４  回転制御部、３５  アプリケーション制御部、４１  ツメ、４２  抑止機構、４３  クサビ。
【図１】
2006287481.tif 000003
【図２】
2006287481.tif 000004
【図３】
2006287481.tif 000005
【図４】
2006287481.tif 000006
【図５】
2006287481.tif 000007
【図６】
2006287481.tif 000008
【図７】
2006287481.tif 000009
【図８】
2006287481.tif 000010
【図９】
2006287481.tif 000011
【図１０】
2006287481.tif 000012
【図１１】
2006287481.tif 000013
【図１２】
2006287481.tif 000014
【図１３】
2006287481.tif 000015
【図１４】
2006287481.tif 000016
【図１５】
2006287481.tif 000017
【図１６】
2006287481.tif 000018